(57)【要約】【課題】回転ドラム内の洗濯物を短時間で均一に洗濯することができ、かつ、節水効果を得ることができるドラム式洗濯機を提供する。【解決手段】外箱１０１は、洗濯物を出し入れするための外箱開口部１０６を前面部に有する。ドア１０２は、外箱１０１開口部を開閉する。水槽１０３は、外箱１０１内で弾性支持されていると共に、外箱１０１開口部に対向する水槽開口部１０７を有する。回転ドラム１０４は、水槽１０３内に回転自在に配置されていると共に、後部が前部より下がるように中心軸Ｌ２が水平面に対して傾斜して、複数の小孔１０９を周壁に有する。パッキン１０５は、ドア１０２と水槽開口部１０７との間をシールする。小孔１０９は、回転ドラム１０４の前端から回転ドラム１０４の奥行きの略半分の長さまでの周壁のみに設けられている。【選択図】図２
2008220457.tif 000002
【特許請求の範囲】
【請求項１】
洗濯物を出し入れするための外箱開口部を前部に有する外箱と、
上記外箱開口部を開閉するドアと、
上記外箱内で弾性支持されていると共に、上記外箱開口部に対向する水槽開口部を有する水槽と、
上記水槽内に回転自在に配置されていると共に、後部が前部より下がるように中心軸が水平面に対して傾斜して、複数の貫通孔を周壁に有する回転ドラムと、
上記ドアと上記水槽開口部との間をシールするパッキンと
を備え、
上記貫通孔は、上記回転ドラムの前端から上記回転ドラムの奥行きの略半分の長さまでの上記周壁のみに設けられていることを特徴とするドラム式洗濯機。
【請求項２】
請求項１に記載のドラム式洗濯機において、
上記水槽内から上記水槽外に出た洗濯水を上記回転ドラム内に放出するための循環ポンプを備えていることを特徴とするドラム式洗濯機。
【請求項３】
請求項２に記載のドラム式洗濯機において、
上記水槽上に設置された洗剤ケースと、
上記洗剤ケース内の空間と上記水槽内の空間とを連通させる給水ホースと、
上記水槽内の水位を検知する水位センサと
を備え、
上記給水ホースから、上記水槽と上記回転ドラムとの間の空間へ洗濯水が給水されることを特徴とするドラム式洗濯機。
【請求項４】
請求項２に記載のドラム式洗濯機において、
上記循環ポンプを所定時間毎に作動させる制御装置を備えていることを特徴とするドラム式洗濯機。
【請求項５】
請求項２に記載のドラム式洗濯機において、
上記水槽内の水位を検知する水位センサと、
上記循環ポンプの作動を制御する制御装置と
を備え、
上記制御装置は、上記水位センサが上記水槽内の所定水位を検知すると、上記循環ポンプを作動させることを特徴とするドラム式洗濯機。
【請求項６】
請求項１に記載のドラム式洗濯機において、
上記回転ドラムの回転を制御する制御装置を備え、
上記制御装置は、上記回転ドラム内のすすぎ水が上記回転ドラム内にとどまるように、上記回転ドラムの回転を制御して、すすぎ工程を行うことを特徴とするドラム式洗濯機。
【発明の詳細な説明】
【技術分野】
【０００１】
本発明はドラム式洗濯機に関する。
【背景技術】
【０００２】
従来、ドラム式洗濯機としては、図１４に示すようなものがある（下記特許文献１の第１図参照）。このドラム式洗濯機は、外箱３０１と、この外箱３０１内に配置された水槽３０３と、この水槽３０３内に回転自在に配置された回転ドラム３０４と、水槽３０３内から水槽３０外に出た洗濯水を水槽３０３内に戻すための循環ポンプ３１０とを備えている。
【０００３】
上記ドラム３０４の前部には、洗濯物が通過するドラム開口部３０８が設けられている。また、図示していないが、上記回転ドラム３０４の周壁全域には複数の小孔が設けられている。この小孔は、水槽３０３と回転ドラム３０４との間の空間と、回転ドラム３０４内の空間との間で洗濯水や空気を流通させるためのものである。
【０００４】
上記構成のドラム式洗濯機は、洗濯を開始すると、回転ドラム３０４が浸からない量の洗濯水を水槽３０３内に給水した後、回転ドラム３０４を回転させると共に、循環ポンプ３１０を作動させる。この循環ポンプ３１０の作動によって、水槽３０３の下部に溜まっている洗濯水が循環ホース３３２に送水される。これにより、上記循環ホース３３２を流れた洗濯水が、ドラム開口部３０８の近傍から回転ドラム３０４内に向かって吹き出す。
【０００５】
このように、上記従来のドラム式洗濯機では、回転ドラム３０４が水槽３０３内の洗濯水に浸かっていなくても、回転ドラム３０４内の洗濯物に洗濯水を降りかけることができる。
【０００６】
しかしながら、上記従来のドラム式洗濯機では、循環ポンプ３１０により回転ドラム３０４内へと給水された洗濯水は、洗濯物を通過し、さらに、回転ドラム３０４の周壁の小孔を通過して、回転ドラム３０４と水槽３０３との間の空間に出てしまう。このため、上記回転ドラム３０４内では洗濯水があまり溜まらず、高い洗浄、すすぎ効果は洗濯水が降りかかった洗濯物でしか得られない。
【０００７】
したがって、上記従来のドラム式洗濯機には、回転ドラム３０４内の洗濯物を均一に洗濯しようとすると、洗濯時間が長くなってしまうという問題があった。
【０００８】
また、上記従来のドラム式洗濯機で回転ドラム３０４内の洗濯物を短時間で均一に洗濯しようとすると、回転ドラム３０４を洗濯水に浸けるしかなく、節水効果が得られなくなってしまう。
【特許文献１】実願昭６０−２６６９３号（実開昭６１−１４３５８６号公報）のマイクロフィルム
【発明の開示】
【発明が解決しようとする課題】
【０００９】
そこで、本発明の課題は、回転ドラム内の洗濯物を短時間で均一に洗濯することができ、かつ、節水効果を得ることができるドラム式洗濯機を提供することにある。
【課題を解決するための手段】
【００１０】
上記課題を解決するため、本発明のドラム式洗濯機は、
洗濯物を出し入れするための外箱開口部を前部に有する外箱と、
上記外箱開口部を開閉するドアと、
上記外箱内で弾性支持されていると共に、上記外箱開口部に対向する水槽開口部を有する水槽と、
上記水槽内に回転自在に配置されていると共に、後部が前部より下がるように中心軸が水平面に対して傾斜して、複数の貫通孔を周壁に有する回転ドラムと、
上記ドアと上記水槽開口部との間をシールするパッキンと
を備え、
上記貫通孔は、上記回転ドラムの前端から上記回転ドラムの奥行きの略半分の長さまでの上記周壁のみに設けられていることを特徴としている。
【００１１】
上記構成のドラム式洗濯機によれば、上記回転ドラムは、内部の洗濯水を外部に排出できるように、複数の貫通孔を周壁に有している。この貫通孔は、回転ドラムの前端から回転ドラムの奥行きの略半分の長さまでの周壁のみに設けられている。つまり、上記回転ドラムの後部の周壁には貫通孔が設けられていない。これにより、上記回転ドラムの後部内に洗濯水を溜めることができる。
【００１２】
したがって、上記回転ドラム内の洗濯物を洗濯水で十分に濡らせるので、回転ドラム内の洗濯物を短時間で均一に洗濯することができる。
【００１３】
また、上記回転ドラムの前端から回転ドラムの奥行きの略半分の長さまでの周壁にのみ貫通孔を設けているので、水槽内への洗濯水の給水量を少なくしても、回転ドラムの後部内に洗濯水を溜めることができる。
【００１４】
したがって、上記水槽内への洗濯水の給水量を少なくして、節水効果を得ることができる。
【００１５】
また、上記回転ドラムは後部が前部より下がるように中心軸が水平面に対して傾斜しているので、回転ドラムの後部内に洗濯水を溜め易くすることができる。
【００１６】
一実施形態のドラム式洗濯機では、
上記水槽内から上記水槽外に出た洗濯水を上記回転ドラム内に放出するための循環ポンプを備えている。
【００１７】
上記実施形態のドラム式洗濯機によれば、上記循環ポンプを用いて、水槽内から水槽外に出た洗濯水を回転ドラム内に放出することにより、回転ドラム内の洗濯物が洗濯水で効率良く濡らすことができると共に、回転ドラム内から回転ドラム外に出た洗濯水を再び回転ドラム内に戻すことができる。
【００１８】
したがって、上記水槽内に給水した洗濯水を無駄なく効率良く使用することができる。
【００１９】
一実施形態のドラム式洗濯機では、
上記水槽上に設置された洗剤ケースと、
上記洗剤ケース内の空間と上記水槽内の空間とを連通させる給水ホースと、
上記水槽内の水位を検知する水位センサと
を備え、
上記給水ホースから、上記水槽と上記回転ドラムとの間の空間へ洗濯水が給水される。
【００２０】
上記実施形態のドラム式洗濯機によれば、上記給水ホースから、水槽と回転ドラムとの間の空間へ洗濯水が給水されるので、洗濯水の給水量を水位センサで正確に読むことができる。
【００２１】
したがって、上記水位センサの出力に基づいて、水槽内への洗濯水の給水量を制御することにより、水槽内に洗濯水が無駄に給水されるのを防ぐことができる。
【００２２】
一実施形態のドラム式洗濯機では、
上記循環ポンプを所定時間毎に作動させる制御装置を備えている。
【００２３】
上記実施形態のドラム式洗濯機によれば、上記制御装置が循環ポンプを所定時間毎に作動させるので、省エネ効果を高めることができる。
【００２４】
一実施形態のドラム式洗濯機では、
上記水槽内の水位を検知する水位センサと、
上記循環ポンプの作動を制御する制御装置と
を備え、
上記制御装置は、上記水位センサが上記水槽内の所定水位を検知すると、上記循環ポンプを作動させる。
【００２５】
上記実施形態のドラム式洗濯機によれば、上記制御装置が、水位センサが水槽内の所定水位を検知すると、循環ポンプを作動させるので、循環ポンプの空運転を防ぐことができる。
【００２６】
一実施形態のドラム式洗濯機では、
上記回転ドラムの回転を制御する制御装置を備え、
上記制御装置は、上記回転ドラム内のすすぎ水が上記回転ドラム内にとどまるように、上記回転ドラムの回転を制御して、すすぎ工程を行う。
【００２７】
上記実施形態のドラム式洗濯機によれば、上記制御装置が、回転ドラム内のすすぎ水が回転ドラム内にとどまるように、回転ドラムの回転を制御して、すすぎ工程を行うので、すすぎ工程中に回転ドラム内のすすぎ水が回転ドラム外に出るのを防いで、すすぎ効果の低減を防ぐことができる。
【発明の効果】
【００２８】
本発明のドラム式洗濯機によれば、回転ドラムの周壁において、回転ドラムの前端から回転ドラムの奥行きの略半分の長さまでの周壁のみに複数の貫通孔を設けているので、回転ドラムの後部内に洗濯水を溜めることができる。
【００２９】
したがって、上記回転ドラム内の洗濯物を洗濯水で十分に濡らせるので、回転ドラム内の洗濯物を短時間で均一に洗濯することができる。
【００３０】
また、上記回転ドラムの前端から回転ドラムの奥行きの略半分の長さまでの周壁にのみ貫通孔を設けているので、水槽内への洗濯水の給水量を少なくしても、回転ドラムの後部内に洗濯水を溜めることができる。
【００３１】
したがって、上記水槽内への洗濯水の給水量を少なくして、節水効果を得ることができる。
【００３２】
また、上記回転ドラムは後部が前部より下がるように中心軸が水平面に対して傾斜しているので、回転ドラムの後部内に洗濯水を溜め易くすることができる。
【発明を実施するための最良の形態】
【００３３】
以下、本発明のドラム式洗濯機を図示の実施の形態により詳細に説明する。
【００３４】
図１に、本発明の一実施の形態のドラム式洗濯機を斜め上方から見た概略図を示す。
【００３５】
上記ドラム式洗濯機は、外箱開口部１０６を前面部に有する外箱１０１を備えている。この外箱１０１の上部は天板１１５から成っている一方、外箱１０１の下部は底台１１６から成っている。
【００３６】
上記外箱開口部１０６は、外箱１にヒンジで回動自在に取り付けられたドア１０２で開閉されるようになっている。このドア１０２の一部は、回転ドラム１０４内を視認できるようにガラス等の透明部材から成っている。
【００３７】
また、上記外箱１０１の前面部の上部には、操作キーや表示部を有する操作パネル１１７が設けられている。この操作パネル１１７の裏側（水槽１０３側）には、ドラム式洗濯機の動作を制御する制御部１１４が設けられている。そして、上記操作パネル１１７への入力により、洗い工程、すすぎ工程、脱水工程、乾燥工程が連続して行われたり、各工程が単独で行われたりする。なお、上記制御部１１４は制御装置の一例である。
【００３８】
図２に、図１のII−II線から見た概略断面図を示す。
【００３９】
上記外箱１０１内には、有底筒形状の水槽１０３と、この水槽１０３内に回転自在に配置された有底円筒形状の回転ドラム１０４と、この回転ドラム１０４内の洗濯物を乾燥させるための乾燥システム２００と、その水槽１０３を弾性支持するサスペンション１１８とが設置されている。
【００４０】
上記水槽１０３は、後部が前部より下がるように中心軸Ｌ１が水平面に対して傾斜している。より詳しくは、上記水槽１０３は、中心軸Ｌ１が水平方向に対して５°〜３０°の角度を成すように傾斜している。この水槽１０３の中心軸Ｌ１は、回転ドラム１０４の回転軸に垂直な面で水槽１０３を切った断面における重心位置Ｐ１（図５参照）を通っている。また、上記水槽１０３の中心軸Ｌ１は回転ドラム１０４の回転軸に対して略平行になっている。また、上記水槽１０３の前面部には、外箱開口部１０６に対向して開口する水槽開口部１０７が設けられている。
【００４１】
また、上記水槽１０３の後面（底部外面）にはモータ１１９が取付けられている。このモータ１１９は、ケース１３６と、このケース１３６内に配置されたロータ１３７およびステータ１３８とを有している。このステータ１３８はケース１３６に固定され、ロータ１３７は回転ドラム１０４の槽軸１３９に固定されている。
【００４２】
上記槽軸１３９は、ケース１３６に固定されたベアリング１４０によって支持され、先端が回転ドラム１０４に固定されている。これにより、上記槽軸１３９の回転が回転ドラム１０４に直接伝達される。
【００４３】
また、上記ロータ１３７の回転数を検知する回転検知部１４１（図６参照）があり、モータ１１９は回転検知部１４１の検知結果に基づいて回転速度が制御されるインバータモータになっている。
【００４４】
上記回転ドラム１０４の前面部には、水槽開口部１０７に対向して開口するドラム開口部１０８が設けられている。また、上記回転ドラム１０４の周壁に関してドラム開口部１０８近傍の部分にのみに、複数の小孔１０９が設けられている。つまり、上記小孔１０９は回転ドラム１０４の前部の周壁のみに設けられている。そして、上記回転ドラム１０４は、その回転軸と同一の軸となる中心軸Ｌ２が水槽１０３の中心軸Ｌ１に対して外箱１０１の天板１１５側に偏心するように配置されている。つまり、上記回転ドラム１０４の中心軸Ｌ２は水槽１０３の中心軸Ｌ１よりも水槽１０３の上部側に位置している。より詳しくは、上記回転ドラム１０４は、その中心軸Ｌ２が水平方向に対して５°〜３０°の角度を成すように傾斜して、後部が前部より下がっている。そして、上記回転ドラム１０４の中心軸Ｌ２は、その中心軸Ｌ２に垂直な面で回転ドラム１０４を切った断面における重心位置Ｐ２（図５参照）を通っている。なお、上記小孔１０９は貫通孔の一例である。
【００４５】
上記小孔１０９は、水槽１０３と回転ドラム１０４との間の空間と、回転ドラム１０４内の空間との間で洗濯水（水道水や風呂水等の水、または、洗剤等を含む水）や空気を流通させる。例えば、上記回転ドラム１０４が脱水回転すると、回転ドラム１０４内の洗濯水が小孔１０９から回転ドラム１０４外に出る。このような小孔１０９は、周方向に沿って複数設けられている。また、上記小孔１０９は中心軸Ｌ２方向に一列設けられている。
【００４６】
また、上記回転ドラム１０４の内壁面には、半径方向内側に向かって突出するバッフル１２０が設けられている。このバッフル１２０は、周方向に例えば１２０°間隔で３ヶ所に配置されている。このようなバッフル１２０により、回転ドラム１０４の回転に伴って、洗濯物の持上げと落下とが繰り返される。例えば、洗い工程で回転ドラム１０４を回転させると、洗濯物をバッフル１２０で引っかけて持上げ、その持ち上げた洗濯物を洗濯液中に落下させることにより、洗濯物を洗浄できる。なお、上記バッフル１２０は、回転ドラム１０４と別体に形成して、回転ドラム１０４の内壁に固定してもよいし、あるいは、回転ドラム１０４と一体に形成してもよい。
【００４７】
また、上記ドラム開口部１０８の外周縁には流体バランサ１２１が設けられている。つまり、上記ドラム開口部１０８を外側から取り囲む流体バランサ１２１が設けられている。この流体バランサ１２１は塩水等の比重の大きい液体が封入されており、この液体が回転ドラム１０４の回転時に移動することによって、洗濯物および洗い水の片寄りによる重心移動が打ち消される。なお、上記流体バランサ１２１は、ドラム開口部１０８の内周縁に対向するように設けてもよい。
【００４８】
上記水槽１０３内の空間下部には送風ダクト２０３が配置されている。この送風ダクト２０３の前側の端部は、水槽開口部１０７の下縁とドラム開口部１０８の下縁との間に位置する送風口２０５となっている（図５参照）。一方、上記送風ダクト２０３の後側の端部は、ファンケース２０６の吹出口２０７に接続されている。
【００４９】
上記送風ダクト２０３内には、吹出口２０７からの空気を加熱する加熱装置２０２が配置されている。この加熱装置２０２は、ヒータケース２０８と、このヒータケース２０８に大部分が収容されたシーズヒータ２０９とで構成されている。
【００５０】
上記ヒータケース２０８は、金属製の本体と、その本体を固定する耐熱樹脂製のフレームとで構成されている。このフレームが送風ダクト２０３に連結している。
【００５１】
上記シーズヒータ２０９は、一部が水槽１０３内の洗濯水に浸かるように配置されているため、水槽１０３内の洗濯水を加熱することができる。
【００５２】
上記水槽開口部１０７には、ゴムや軟質樹脂等の弾性体からなるパッキン１０５が固着されている。これにより、上記ドア１０２を閉じると、ドア１０２がパッキン１０５に密着するから、水槽１０３内の液体が水槽１０３外へ漏れ出るのを防ぐことができる。
【００５３】
上記パッキン１０５は外箱開口部１０６と水槽開口部１０７とを接続しており、このパッキン１０５の内側の空間を洗濯物が通過する。つまり、上記パッキン１０５は、洗濯物を出し入れするアクセス路を形成する。また、上記パッキン１０５には蛇腹等が設けられ、水槽１０３の揺動に応じてたわみを生じて追従するようになっている。
【００５４】
上記水槽１０３の上部には、水槽１０３内に洗濯水を給水するための給水ダクト１１２の下端部が接続されている。一方、上記給水ダクト１１２の上端部は洗剤ケース１１１の下部に接続されている。この洗剤ケース１１１は、洗剤、漂白剤および柔軟剤を収容するものである。また、上記洗剤ケース１１１内には、給水接続口１２２からの水道水が給水される。
【００５５】
上記給水接続口１２２には水道の蛇口（図示せず）からの水道水が供給される。そして、上記給水接続口１２２に入った水道水は、洗濯用給水弁１２３の開放によって洗濯用給水路１２４を流れたり、乾燥用給水弁１２５の開放によって乾燥用給水路１２６を流れたりする。
【００５６】
上記洗濯用給水路１２４は、一端が洗濯用給水弁１２３に接続され、かつ、他端が洗剤ケース１１１に接続されている。
【００５７】
上記乾燥用給水路１２６は、一端が乾燥用給水弁１２５に接続され、かつ、他端が冷却ノズル１２７（図３参照）に接続されている。より詳しくは、乾燥工程時、乾燥用給水弁１２５が開放し、水道水が乾燥用給水路１２６を流れて冷却ノズル１２７に到達する。
【００５８】
一方、上記水槽１０３の下部には、送風ダクト２０３と連通し水槽１０３内の洗濯水を排水するための排水口１２８が設けられている。この排水口１２８は送風機２０１の下流側に位置している。また、上記排水口１２８には排水ダクト１２９の上端部が接続されている。一方、上記排水ダクト１２９の下端部は、フィルタ装置１３０を介して排水ホース１３１に接続されている。また、上記排水ダクト１２９を流れる液体は、フィルタ装置１３０を通ってから排水ホース１３１または循環ホース１３２に流入できるようになっている。このフィルタ装置１３０が排水ダクト１２９内を流れてきた洗濯水中の糸くず等の異物を除去するので、異物の排水ホース１３１または循環ホース１３２への進入を防ぐことができる。
【００５９】
上記フィルタ装置１３０にはエアートラップ（図示せず）が設けられており、このエアートラップに導圧パイプ（図示せず）の一端が接続されている。また、上記導圧パイプの他端は水位センサ１１３に接続されている。この水位センサ１１３は導圧パイプ及びエアートラップを介して水槽１０３と連通し、水槽１０３内の水圧による圧力（水圧）が水位センサ１１３に伝えられる。また、上記水位センサ１１３は、コイルと磁性体とを内装し、水槽１０３内の水位による圧力変化に応じて磁性体がコイル内を移動する。そして、コイル内の磁性体の位置により生じるコイルのインダクタンスを発振周波数として検出し、水槽１０３内の水位を検出するようになっている。なお、上記水位センサ１１３は水槽１０３内と連通するのであれば、どの位置に設置してもよい。
【００６０】
上記排水ホース１３１には、排水モータ１３３によって開閉される排水弁１３４が設けられている。この排水弁１３４は、排水ダクト１２９の洗濯水を排水ホース１３１へ流すときには開放し、かつ、排水ダクト１２９の洗濯水を循環ホース１３２へ流すときには閉鎖するように制御される。
【００６１】
上記循環ホース１３２の上端部は循環ノズル１３５に接続されている。この循環ノズル１３５は、水槽１０３の前面下部に設けられ、かつ、回転ドラム１０４内に指向するように設けられている。一方、上記循環ホース１３２の下端部は、フィルタ装置１３０の後方に配置された循環ポンプ１１０に接続されている。
【００６２】
上記循環ポンプ１１０は、排水ダクト１２９内の洗濯水をフィルタ装置１３０を介して吸引すると共に、この吸引した洗濯水を循環ホース１３２へ吐出する。このような循環ポンプ１１０を作動させることによって、排水口１２８から水槽１０３外に出た洗濯水をフィルタ装置１３０を通過させた後、再び回転ドラム１０４内へ戻すことができる。
【００６３】
上記乾燥システム２００は、送風機２０１と、加熱装置２０２と、送風ダクト２０３と、後述する除湿用熱交換器２０４（図３参照）とを有している。
【００６４】
図３に、図１のIII−III線から見た概略断面図を示す。
【００６５】
上記除湿用熱交換器２０４は、水槽１０３の後面下部に取り付けられた送風機２０１の上流側に配置されている。そして、上記除湿用熱交換器２０４は、前部が後部よりも高くなるように傾斜するように配置された金属プレート２１１と、この金属プレート２１１の両側部に取り付けられたステンレス製の固定部材２１２とを有している。
【００６６】
また、上記除湿用熱交換器２０４と送風機２０１との間の除湿用経路２１４には、金属糸を編んで網状としたフィルタ２１０が設置されている。
【００６７】
上記金属プレート２１１の前端部の上方には、冷却ノズル１２７が配置されている。乾燥工程時には、この冷却ノズル１２７から供給された水道水が金属プレート２１１の上面を流れて金属プレート２１１を冷却する。これにより、上記水道水および金属プレート２１１が、送風機２０１へ向かって流れる空気を冷却して、この空気が含む水分を効果的に凝縮させる。
【００６８】
上記送風機２０１は、水槽１０３の後面の下部に取り付けられている。そして、上記送風機２０１は、ファンケース２０６と、このファンケース２０６内に回転自在に配置された送風ファン２１２と、この送風ファン２１２を回転駆動するモータ２１３とを有している。この送風ファン２１２の回転駆動によって、除湿用熱交換器２０４で除湿された空気をファンケース２０６内に吸い込むことができる。
【００６９】
上述した送風機２０１、加熱装置２０２、除湿用熱交換器２０４、フィルタ２１０および送風ダクト２０３は、夫々、水槽１０３の中心軸Ｌ１を含み、かつ、この中心線Ｌ１と直交する水平軸を含む面よりも下側に設けられている。
【００７０】
図４に、上記操作パネル１１７の概略正面図を示す。
【００７１】
上記操作パネル１１７は、表示部４００と操作キーＫとを有している。上記表示部４００は、液晶またはＬＥＤ等の表示装置から成り、入力情報等を表示する。一方、上記操作キーＫは、電源キー４０１、スタートキー４０２、ドアロック解除キー４０３、コース切替キー４０４、温水切替キー４０５、乾燥キー４０６、洗濯キー４０７、洗いキー４０８、すすぎキー４０９および脱水キー４１０から成っている。これらのキーは、ドラム式洗濯機の運転条件を設定するためのものである。
【００７２】
上記電源キー４０１を押すと、ドラム式洗濯機の電源をＯＮ（オン）またはＯＦＦ（オフ）できる。上記電源をＯＮにすると、表示部４００には「標準コース」の運転条件が表示される。この「標準コース」は、木綿や化繊等の洗濯物に対して洗い工程、すすぎ工程、脱水工程および乾燥工程を最適に行われるための条件が予め設定されている。
【００７３】
上記コース切替キー４０４を押すと、「ドライコース」「毛布コース」等の他の運転条件を選択することができる。
【００７４】
上記温水切替キー４０５を押すことにより、洗濯水を加熱するか否かを選択することができる。つまり、通常の水道水よりも温かい洗濯水で洗濯を行うのか、通常の水道水と同じ温度の洗濯水で洗濯を行うのかを選択することができる。また、上記温水切替キー４０５を押すことにより、洗濯水の温度の高低も設定することができる。
【００７５】
上記乾燥キー４０６を押すことにより、乾燥工程のみを行なうように設定することができる。
【００７６】
上記洗濯キー４０７を押すことにより、洗い工程、すすぎ工程および脱水工程から成る洗濯工程のみを行なって、乾燥工程を行なわないように設定することができる。
【００７７】
上記洗いキー４０８を押すことで洗い工程のみを、また、すすぎキー４０９を押すことですすぎ工程のみを、また、脱水キー４１０を押すことで脱水工程のみを行うように設定することができる。
【００７８】
上述したコース切替キー４０４等により運転条件が設定され後、スタートキー４０２を押すと、ドラム式洗濯機の運転が開始する。
【００７９】
また、上記運転中にスタートキー４０２を押すと、運転を一時停止させることができる。そして、上記スタートキー４０２を再度押すと、運転を再開させることができる。
【００８０】
また、上記運転の一時停止中にドアロック解除キー４０３を押すと、ドア１０２のロック状態が解除され、ドア１０２を開け、回転ドラム１０４内に洗濯物の追加投入できる。
【００８１】
図５に、上記水槽１０３の概略正面図を示す。
【００８２】
上記回転ドラム１０４の中心軸Ｌ２に垂直な面で回転ドラム１０４を切った断面における重心位置Ｐ２は、回転ドラム１０４の回転軸に垂直な面で水槽１０３を切った断面における重心位置Ｐ１よりも天板１１５側にある。
【００８３】
上記冷却ノズル１２７は水槽１０３内で金属プレート２１１に対向している。これにより、上記乾燥用給水路１２６内の水道水を冷却ノズル１２７から金属プレート２１１に吐出して、金属プレート２１１を水道水で冷却することができる。
【００８４】
図６に、上記ドラム式洗濯機の制御ブロック図を示す。
【００８５】
上記ドラム式洗濯機は、制御部１１４に設けられ、制御動作の中心となるマイクロコンピュータ１４２（以下、「マイコン１４２」と略称する。）を備えている。このマイコン１４２は、容量検知部１４３、アンバランス検知部１４４、泡拘束検知部１４５およびタイマー１４６を含んでいる。
【００８６】
上記マイコン１４２は、操作キーＫ（電源キー４０１〜脱水キー４１０）、水位センサ１１３、電源回路１４７、リセット回路１４８、回転検知部１４９および温度検知部１５０の動作を制御する。上記温度検知部１５０は加熱装置２０２の温度を検知する。
【００８７】
上記マイコン１４２は、容量検知部１４３で検知した衣類の負荷容量、アンバランス検知部１４４で検知した中間脱水時の負荷アンバラ、泡拘束検知部１４５で検知した中間脱水時の泡拘束、および、タイマー１４６でカウントした工程時間に基づいて、負荷駆動回路１５１、ブザー１５２および表示部４００を制御する。上記工程時間は容量判定により決定される。
【００８８】
上記負荷駆動回路１５１は、マイコン１４２から受けた信号に基づいて、送風機２０１、加熱装置２０２、洗濯用給水弁１２３、乾燥用給水弁１２５、モータ１１９、排水モータ１３３および循環ポンプ１１０を動作させ、使用者が設定した運転条件でドラム式洗濯機を運転する。このときの運転内容は表示部４００に表示され、運転終了やエラーはブザー１５２で使用者に報知される。
【００８９】
以下、図７〜図１３のフローチャートを用いて、上記ドラム式洗濯機が行う洗濯工程について説明する。
【００９０】
上記洗濯工程では、まず、図７のステップＳ１０１〜Ｓ１０３が行われた後、ステップＳ１０４以降の洗い工程がスタートする。
【００９１】
上記ステップＳ１０１では、ユーザが回転ドラム１０４内に洗濯物を投入して、ドア１０２を閉じる。これにより、上記ドア１０２がパッキン１０５に密着して水槽１０３が封止される。
【００９２】
上記ステップＳ１０２では、ユーザが電源キー４０１、スタートキー４０２を順次押す。このとき、上記電源キー４０１の押した後、かつ、スタートキー４０２を押す前に、温水切替キー４０５を押せば、温水設定を行える。
【００９３】
上記ステップＳ１０３では、容量センシングが行われる。つまり、上記回転ドラム１０４内に収容されている洗濯物の量が検知される。このステップＳ１０３で検知された洗濯物の量は制御部１１４に記憶される。また、上記洗濯物の量に応じた運転時間は表示部４００に表示される。
【００９４】
次に、上記洗い工程がスタートとすると、ステップＳ１０４で、洗濯用給水弁１２３が開かれ、水道水が洗剤ケース１１１に流入する。これにより、上記水道水は洗剤ケース１１１内で例えば洗剤を含んで洗い水となり、給水ダクト１１２から水槽１０３内に流入する。
【００９５】
次に、ステップＳ１０５で、水位センサ１１３の出力に基づいて、水槽１０３内の水位（水槽１０３と回転ドラム１０４との間の空間に溜まっている洗い水の水位）が所定水位に達したか否かを判定する。このステップＳ１０５で、水槽１０３内の水位が所定水位に達したと判定すると、ステップＳ１０６に進む。一方、上記ステップＳ１０５で、水槽１０３内の水位が所定水位に達していないと判定すると、ステップＳ１０４に戻る。
【００９６】
次に、ステップＳ１０６で、洗濯用給水弁１２３が閉じられ、洗剤ケース１１１への水道水の流入が停止する。
【００９７】
次に、ステップＳ１０７で、循環ポンプ１１０がＯＮされ、水槽１０３と回転ドラム１０４との間の空間に溜まっている洗い水が回転ドラム１０４内に給水される。これにより、上記循環ポンプ１１０がＯＮされる直前に、回転ドラム１０４が水槽１０３内の洗い水に浸かっていなくても、回転ドラム１０４内に洗い水が溜まっていく。これは、上記回転ドラム１０４の前部以外の周壁には小孔１０９が設けられていないからである。つまり、上記回転ドラム１０４の後部では小孔１０９による洗い水の流出がないので、洗い水が溜まっていく。
【００９８】
次に、ステップＳ１０８で、回転ドラム１０４内への給水が完了したか否かを判定する。このステップＳ１０８で、回転ドラム１０４内への給水が完了したと判定すると、図８のステップＳ１０９に進む。一方、上記ステップＳ１０８で、回転ドラム１０４内への給水が完了していないと判定すると、ステップＳ１０７に戻る。なお、上記回転ドラム１０４内への給水が完了したか否かの判定は、例えば、循環ポンプ１１０がＯＮされてから経過した時間に基づいて行う。
【００９９】
次に、図８のステップＳ１０９で、循環ポンプ１１０がＯＦＦされた後、ステップＳ１１０で、モータ１１９がＯＮされ、回転ドラム１０４が所定の洗いチャートにより回転制御される。
【０１００】
次に、ステップＳ１１１で、所定の洗い時間が経過したか否かを判定する。このステップＳ１１１で、所定の洗い時間が経過したと判定すると、ステップＳ１１２に進む。一方、上記ステップＳ１１１で、所定の洗い時間が経過していないと判定すると、ステップＳ１１０に戻る。
【０１０１】
次に、ステップＳ１１２で、モータ１１９がＯＦＦされると共に、排水モータ１３３がＯＮされる。これにより、水槽１０３内の洗い水が排水され、洗い工程が終了し、すすぎ工程に移行する。
【０１０２】
上記すすぎ工程が開始すると、まず、洗濯物が含む洗い水を回転ドラム１０４外へ排出するため、中間脱水が行われる。このとき、上記モータ１１９の回転数が上昇すると、洗い水が回転ドラム１０４の前部にある複数の小孔１０９から回転ドラム１０４外に出る。
【０１０３】
このように、上記回転ドラム１０４の前部の周壁のみに複数の小孔１０９を設け、回転ドラム１０４の中央部および後部の周壁に小孔１０９を設けないことによって、水槽１０３内への洗い水の給水量が少なくても、回転ドラム１０４の後部内に洗い水を溜めることができる。
【０１０４】
したがって、上記回転ドラム１０４内の洗濯物が洗い水で十分に濡れるので、回転ドラム１０４内の洗濯物を短時間で均一に洗うことができる。
【０１０５】
また、上記回転ドラム１０４の前部の周壁のみに複数の小孔１０９を設け、回転ドラム１０４の中央部および後部の周壁に小孔１０９を設けないので、水槽１０３内への洗い水の給水量を少なくしても、回転ドラム１０４の後部内に洗い水を溜めることができる。
【０１０６】
したがって、上記水槽１０３内への洗い水の給水量を少なくして、節水効果を得ることができる。
【０１０７】
上記節水効果は、従来のドラム式洗濯機の構造を大きく変更することなく得ることができる。
【０１０８】
また、乾燥工程時には、回転ドラム１０４内から小孔１０９介して回転ドラム１０４外に温風が出るので、乾燥性能への悪影響を抑えることができる。
【０１０９】
上記ドラム式洗濯機は、図７のステップＳ１０４〜Ｓ１０８と図９のステップＳ２０９〜Ｓ２１３とから成る洗い工程を行ってもよい。
【０１１０】
上記ステップＳ１０４〜Ｓ１０８と図９のステップＳ２０９〜Ｓ２１３とから成る洗い工程では、上述したステップＳ１０４〜Ｓ１０８が順次行われた後、図９のステップＳ２０９で、循環ポンプ１１０がＯＦＦされる。
【０１１１】
次に、ステップＳ２１０で、モータ１１９がＯＮされ、回転ドラム１０４が所定の洗いチャートにより回転制御される。
【０１１２】
次に、ステップＳ２１１で、循環ポンプ１１０がＯＮされ、水槽１０３と回転ドラム１０４との間の空間に溜まっている洗い水が回転ドラム１０４内に給水される。
【０１１３】
次に、ステップＳ２１２で、所定の洗い時間が経過したか否かを判定する。このステップＳ２１２で、所定の洗い時間が経過したと判定すると、ステップＳ２１３に進む。一方、上記ステップＳ２１２で、所定の洗い時間が経過していないと判定すると、ステップＳ２１０に戻る。
【０１１４】
次に、ステップＳ２１３で、モータ１１９および循環ポンプ１１０がＯＦＦされると共に、排水モータ１３３がＯＮされる。これにより、上記水槽１０３内の洗い水が排水され、洗い工程が終了し、すすぎ工程に移行する。
【０１１５】
このようなステップＳ２０９〜Ｓ２１３により、回転ドラム１０４の前部の周壁にある小孔１０９より溢れ出た洗い水を循環ポンプ１１０にて回転ドラム１０４内に戻しながら、洗い工程を行うことができる。
【０１１６】
また、ステップＳ２０９〜Ｓ２１３と同様に、回転ドラム１０４内から溢れでた水を循環ポンプ１１０にて回転ドラム１０４内に戻しながら、すすぎ工程を行ってもよいのは言うまでもない。
【０１１７】
また、図７のステップＳ１０４〜Ｓ１０８と図１０のステップＳ３０９〜Ｓ３１３とで洗い工程を構成してもよい。
【０１１８】
上記ステップＳ１０４〜Ｓ１０８と図１０のステップＳ３０９〜Ｓ３１３とから成る洗い工程では、上述したステップＳ１０４〜Ｓ１０８が順次行われた後、図１０のステップＳ３０９で、循環ポンプ１１０がＯＦＦされる。
【０１１９】
次に、ステップＳ３１０で、モータ１１９がＯＮされ、回転ドラム１０４が所定の洗いチャートにより回転制御される。
【０１２０】
次に、ステップＳ３１１で、循環ポンプ１１０が所定時間毎にＯＮされ、水槽１０３と回転ドラム１０４との間の空間に溜まっている洗い水が回転ドラム１０４内に給水される。具体的には、上記循環ポンプ１１０は３０秒ＯＮと２分ＯＦＦとを交互に繰り返す。
【０１２１】
次に、ステップＳ３１２で、所定の洗い時間が経過したか否かを判定する。このステップＳ３１２で、所定の洗い時間が経過したと判定すると、ステップＳ３１３に進む。一方、上記ステップＳ３１２で、所定の洗い時間が経過していないと判定すると、ステップＳ３１０に戻る。
【０１２２】
次に、ステップＳ３１３で、モータ１１９および循環ポンプ１１０がＯＦＦされると共に、排水モータ１３３がＯＮされる。これにより、上記水槽１０３内の洗い水が排水され、洗い工程が終了し、すすぎ工程に移行する。
【０１２３】
このようなステップＳ３０９〜Ｓ３１３により、回転ドラム１０４の前部の周壁にある小孔１０９より溢れ出た洗い水を循環ポンプ１１０にて回転ドラム１０４内に戻しながら、洗い工程を行うことができる。
【０１２４】
また、ステップＳ３０９〜Ｓ３１３と同様に、回転ドラム１０４内から溢れ出た水を循環ポンプ１１０にて回転ドラム１０４内に戻しながら、すすぎ工程を行ってもよいのは言うまでもない。
【０１２５】
また、図７のステップＳ１０４〜Ｓ１０８と図１１のステップＳ４０９〜Ｓ４１４とで洗い工程を構成してもよい。
【０１２６】
上記ステップＳ１０４〜Ｓ１０８と図１１のステップＳ４０９〜Ｓ４１４とから成る洗い工程では、上述したステップＳ１０４〜Ｓ１０８が順次行われた後、図１１のステップＳ４０９で、循環ポンプ１１０がＯＦＦされる。
【０１２７】
次に、ステップＳ４１０で、モータ１１９がＯＮされ、回転ドラム１０４が所定の洗いチャートにより回転制御される。
【０１２８】
次に、ステップＳ４１１で、水位センサ１１３の出力に基づいて、水槽１０３内の水位（水槽１０３と回転ドラム１０４との間の空間に溜まっている洗い水の水位）が所定水位に達したか否かを判定する。このステップＳ１０５で、水槽１０３内の水位が所定水位に達したと判定すると、ステップＳ１０６に進む。一方、上記ステップＳ１０５で、水槽１０３内の水位が所定水位に達していないと判定すると、ステップＳ１０４に戻る。
【０１２９】
次に、ステップＳ４１２で、循環ポンプ１１０がＯＮされ、水槽１０３と回転ドラム１０４との間の空間に溜まっている洗い水が回転ドラム１０４内に給水される。
【０１３０】
次に、ステップＳ４１３で、所定の洗い時間が経過したか否かを判定する。このステップＳ４１３で、所定の洗い時間が経過したと判定すると、ステップＳ４１４に進む。一方、上記ステップＳ４１３で、所定の洗い時間が経過していないと判定すると、ステップＳ４１０に戻る。
【０１３１】
次に、ステップＳ４１４で、モータ１１９および循環ポンプ１１０がＯＦＦされると共に、排水モータ１３３がＯＮされる。これにより、上記水槽１０３内の洗い水が排水され、洗い工程が終了し、すすぎ工程に移行する。
【０１３２】
このようなステップＳ４０９〜Ｓ４１４により、回転ドラム１０４の前部の周壁にある小孔１０９より溢れ出た洗い水を循環ポンプ１１０にて回転ドラム１０４内に戻しながら、洗い工程を行うことができる。
【０１３３】
また、上記ステップＳ４１１の判定により、回転ドラム１０４内から所定量の洗い水が回転ドラム１０４外も溢れ出たときに、循環ポンプ１１０がＯＮするので、必要以上の洗い水が回転ドラム１０４内に給水されるのを防ぐことできる。つまり、上記循環ポンプ１１０の無駄なＯＮ時間を省いて、省エネ効果が得られる。
【０１３４】
また、ステップＳ４０９〜Ｓ４１４と同様に、回転ドラム１０４内から溢れ出た水を循環ポンプ１１０にて回転ドラム１０４内に戻しながら、すすぎ工程を行ってもよいのは言うまでもない。
【０１３５】
また、図８のステップＳ１０９〜Ｓ１１２を行って洗い工程を終了させた後、図１３のステップＳ６０１以降のすすぎ工程を行ってもよい。
【０１３６】
上記すすぎ工程が開始すると、まず、図１３のステップＳ６０１で、洗濯物が含む洗い水を回転ドラム１０４外へ排出するため、モータ１１９がＯＮされ、中間脱水が行われる。このとき、上記モータ１１９の回転数が上昇すると、洗い水が回転ドラム１０４の前部にある複数の小孔１０９から回転ドラム１０４外に出る。
【０１３７】
次に、ステップＳ６０２で、所定の中間脱水時間が経過したか否かを判定する。このステップＳ６０２で、所定の中間脱水時間が経過したと判定すると、ステップＳ６０３に進む。一方、上記ステップＳ６０２で、所定の中間脱水時間が経過していないと判定すると、ステップＳ６０１に戻る。
【０１３８】
次に、ステップＳ６０３で、モータ１１９および排水モータ１３３がＯＦＦされる。これにより、上記回転ドラム１０４の回転が停止すると共に、排水弁１３４が閉まる。より詳しくは、上記モータ１１９の通電をＯＦＦし、回転ドラム１０４の回転が止まった時点で、排水モータ１３３の通電をＯＦＦして排水弁１３４を閉じる。
【０１３９】
次に、図１４のステップＳ６０４で、洗濯用給水弁１２３が開かれ、水道水が洗剤ケース１１１に流入する。これにより、上記水道水は洗剤ケース１１１内で例えば柔軟剤を含んですすぎ水となり、給水ダクト１１２から水槽１０３内に流入する。本実施の形態では、水槽１０３と回転ドラム１０４との間の空間に給水する構造であるが、回転ドラム１０４内の空間に直接給水する構造にしてもよい。また、上記すすぎ水は、柔軟剤を含んだ水道水でなくてもよく、水道水そのものであってもよい。
【０１４０】
次に、ステップＳ６０５で、モータ１１９および循環ポンプ１１０がＯＮされる。これにより、上記モータ１１９は２００ｒｐｍで回転すると共に、水槽１０３と回転ドラム１０４との間の空間に溜まっているすすぎ水が回転ドラム１０４内に給水される。また、上記２００ｒｐｍは、回転ドラム１０４の前部の周壁にある小孔１０９からすすぎ水が排出されない回転数である。つまり、上記回転ドラム１０４が２００ｒｐｍで回転しても、その小孔１０９を通ってすすぎ水が回転ドラム１０４外に出ない。
【０１４１】
次に、ステップＳ６０６で、給水所定時間が経過したか否かを判定する。このステップＳ６０６で、給水所定時間が経過したと判定すると、ステップＳ６０７に進む。一方、上記ステップＳ６０６で、給水所定時間が経過していないと判定すると、ステップＳ６０４に戻る。
【０１４２】
次に、ステップＳ６０７で、洗濯用給水弁１２３が閉じられ、洗剤ケース１１１への水道水の流入が停止する。このとき、上記循環ポンプ１１０もＯＦＦされる。
【０１４３】
次に、ステップＳ６０８で、モータ１１９がＯＮされてから所定時間経過したか否かを判定する。このステップＳ６０８で、モータ１１９がＯＮされてから所定時間経過したと判定すると、ステップＳ６０９に進む。一方、上記ステップＳ６０８で、モータ１１９がＯＮされてから所定時間経過していないと判定すると、ステップＳ６０５に戻る。
【０１４４】
次に、ステップＳ６０９で、モータ１１９の回転速度を１０００ｒｐｍに上げる。つまり、低速回転から高速回転へ移行する。また、上記回転ドラム１０４の回転数が上がっていくと、すすぎ水が回転ドラム１０４の前部にある複数の小孔１０９から回転ドラム１０４外に出る。
【０１４５】
次に、ステップＳ６１０で、排水モータ１３３がＯＮされ、排水弁１３４が開く。これにより、上記水槽１０３内のすすぎ水が排水される。
【０１４６】
次に、ステップＳ６１１で、低速回転から高速回転への移行の開始から所定時間経過したか否かを判定する。このステップＳ６１１で、高速脱水の開始から所定時間経過したと判定すると、ステップＳ６１２に進む。一方、上記ステップＳ６１１で、高速脱水の開始から所定時間経過していないと判定すると、ステップＳ６０９に戻る。
【０１４７】
次に、ステップＳ６１２で、モータ１１９および排水モータ１３３がＯＦＦされる。これにより、上記回転ドラム１０４の回転が停止すると共に、排水弁１３４が閉まって、すすぎ工程が終了する。
【０１４８】
このように、上記回転ドラム１０４の前部の周壁のみに複数の小孔１０９を設け、回転ドラム１０４の中央部および後部の周壁に小孔１０９を設けないことによって、水槽１０３内へのすすぎ水の給水量が少なくても、回転ドラム１０４の後部内にすすぎ水を溜めることができる。
【０１４９】
したがって、上記回転ドラム１０４内の洗濯物がすすぎ水で十分に濡れるので、回転ドラム１０４内の洗濯物を短時間で均一にすすぐことができる。
【０１５０】
また、上記回転ドラム１０４の前部の周壁のみに複数の小孔１０９を設け、回転ドラム１０４の中央部および後部の周壁に小孔１０９を設けないので、水槽１０３内へのすすぎ水の給水量を少なくしても、回転ドラム１０４の後部内にすすぎ水を溜めることができる。
【０１５１】
したがって、上記水槽１０３内へのすすぎ水の給水量を少なくして、節水効果を得ることができる。
【０１５２】
また、上記すすぎ工程にて、回転ドラム１０４内に給水されたすすぎ水が回転ドラム１０４の小孔１０９から溢れ出ない回転数で脱水を行うので、給水されたすすぎ水を無駄なく洗濯物に含ませることができ、効率よくすすぎを行い節水ができる。
【０１５３】
以上より明らかなように、上記ドラム式洗濯機は、回転ドラム１０４の前部の周壁のみに小孔１０９が設けられ、回転ドラム１０４の中央部および後部の周壁に小孔１０９が設けられていないので、水槽１０３と回転ドラム１０４との間に溜まる無駄な水を無くすことができる。
【０１５４】
したがって、上記無駄な水を無くし、従来のドラム式洗濯機で使用していた洗剤と同量の洗剤を使用することにより、洗浄液の洗剤濃度が高くなり、洗浄性能を高めることができる。なお、上記従来のドラム式洗濯機とは、回転ドラムの全周壁に小孔が設けられたドラム式洗濯機のことである。
【０１５５】
また、上記従来のドラム式洗濯機の洗浄液の洗剤濃度と同じ洗剤濃度に設定すれば、洗剤量が少なくなって、経済的である。
【０１５６】
また、上記水槽１０３と回転ドラム１０４との間に溜まる無駄な水を無くして、回転ドラム１０３が洗い水に浸からないようにすれば、回転ドラム１０４の外壁及び水槽１０３の内壁の汚れ等が洗い水で回転ドラム１０４内に運ばれるのを防ぐことができて、回転ドラム１０４内の洗濯物を清潔に保つことができる。
【０１５７】
また、上記回転ドラム１０４内から溢れ出た水を循環ポンプ１１０にて、回転ドラム１０４内に戻すことにより、水槽１０３内に給水した水を無駄なく洗濯に使用し、効率よく節水ができる。
【０１５８】
また、上記給水ダクト１１２から水槽１０３内へ洗い水を給水すると、洗い水は回転ドラム１０４に流入しないが、水槽１０３と回転ドラム１０４との間に洗い水が一時的に溜めた後、循環ポンプ１１０で回転ドラム１０４内に送るので、水道水と洗剤とがよく混ざった洗い水を回転ドラム１０４内の洗濯物に降りかけることができる。
【０１５９】
また、上記回転ドラム１０４内から溢れ出た水を循環ポンプ１１０にて、所定時間毎に回転ドラム１０４内に戻すことにより、給水された水を無駄なく洗濯に使用することができる上に、循環ポンプ１１０への無駄な通電を無くすことができて、節水効果および省エネ効果が得られる。
【０１６０】
また、上記回転ドラム１０４内から溢れ出た洗濯水の水位を水位センサ１１３にて検知し、回転ドラム１０４内から溢れ出た洗濯水の量が所定量に達したときに、循環ポンプ１１０をＯＮすることにより、回転ドラム１０４内への洗濯水の給水が必要なときだけ、循環ポンプ１１０をＯＮすることができるので、電力が無駄に消費されるのを防ぐことができる。
【０１６１】
また、上記回転ドラム１０４内から溢れ出た洗濯水の水位を水位センサ１１３にて検知し、回転ドラム１０４内から溢れ出た洗濯水の量が所定量に達したときに、循環ポンプ１１０をＯＮすることにより、循環ポンプ１１０の空運転も防ぐことができるので、循環ポンプ１１０の寿命を延ばすことができる。
【０１６２】
また、上記すすぎ工程にて、回転ドラム１０４内に給水されたすすぎ水が溢れ出ない回転数で脱水を行うことにより、給水された少ないすすぎ水を無駄なく洗濯物に含ませることができ、効率よくすすぎを行える。
【０１６３】
上記実施の形態では、ステップＳ６０５において、モータ１１９の回転数を２００ｒｐｍに設定したが、回転ドラム１０４内に給水されたすすぎ水が溢れ出ない回転数であれば２００ｒｐｍ以外の回転数に設定してもよい。
【０１６４】
上記実施の形態では、水槽１０３と回転ドラム１０４との間の空間に給水する構造であるが、回転ドラム１０４内の空間に直接給水する構造にしてもよい。
【０１６５】
上記実施の形態では、前部のみに複数の小孔１０９が設けられた回転ドラム１０４を用いたが、前端から奥行きの略半分の長さまでの周壁のみに複数の小孔が設けられた回転ドラムを用いてもよい。
【０１６６】
本発明は、乾燥機能を有するドラム式洗濯機に適用できることは勿論、乾燥機能を有さないドラム式洗濯機にも適用できる。
【図面の簡単な説明】
【０１６７】
【図１】図１は本発明の一実施の形態のドラム式洗濯機の概略斜視図である。
【図２】図２は図１のII−II線矢視断面図である。
【図３】図３は図１のIII−III線矢視断面図である。
【図４】図４は上記ドラム式洗濯機の操作パネルの概略正面図である。
【図５】図５は上記ドラム式洗濯機の水槽の概略正面図である。
【図６】図６は上記ドラム式洗濯機の制御ブロック図である。
【図７】図７は上記ドラム式洗濯機の洗濯工程の一部を示すフローチャートである。
【図８】図８は上記ドラム式洗濯機の洗濯工程の一部を示すフローチャートである。
【図９】図９は上記ドラム式洗濯機の洗濯工程の一部を示すフローチャートである。
【図１０】図１０は上記ドラム式洗濯機の洗濯工程の一部を示すフローチャートである。
【図１１】図１１は上記ドラム式洗濯機の洗濯工程の一部を示すフローチャートである。
【図１２】図１２は上記ドラム式洗濯機の洗濯工程の一部を示すフローチャートである。
【図１３】図１３は上記ドラム式洗濯機の洗濯工程の一部を示すフローチャートである。
【図１４】図１４は従来のドラム式洗濯機の概略断面図である。
【符号の説明】
【０１６８】
１０１  外箱
１０２  ドア
１０３  水槽
１０４  回転ドラム
１０５  パッキン
１０６  外箱開口部
１０７  水槽開口部
１０８  ドラム開口部
１０９  小孔
１１０  循環ポンプ
１１１  洗剤ケース
１１２  給水ダクト
１１３  水位センサ
１１４  制御部
【図１】
2008220457.tif 000003
【図２】
2008220457.tif 000004
【図３】
2008220457.tif 000005
【図４】
2008220457.tif 000006
【図５】
2008220457.tif 000007
【図６】
2008220457.tif 000008
【図７】
2008220457.tif 000009
【図８】
2008220457.tif 000010
【図９】
2008220457.tif 000011
【図１０】
2008220457.tif 000012
【図１１】
2008220457.tif 000013
【図１２】
2008220457.tif 000014
【図１３】
2008220457.tif 000015
【図１４】
2008220457.tif 000016